(57)【要約】【課題】  簡易な構成により物品を容易且つ確実に梱包することができる物品保持具を提供する。【解決手段】  容器内で物品を保持する物品保持具であって、可撓性の袋体５０と、底板２０および枠体３０が第１折曲部２６において折り畳み可能に連設された支持部材１０とを備え、物品Ｇを支持部材１０と共に袋体５０の内部に収納した後、支持部材１０を袋体５０と共に第１折曲部２６で折り畳むことにより、袋体５０の内部で物品Ｇが保持される。【選択図】  図３
2019094068.tif 000002
【特許請求の範囲】
【請求項１】
容器内で物品を保持する物品保持具であって、
可撓性の袋体と、底板および枠体が第１折曲部において折り畳み可能に連設された支持部材とを備え、
物品を前記支持部材と共に前記袋体の内部に収納した後、前記支持部材を前記袋体と共に前記第１折曲部で折り畳むことにより、前記袋体の内部で物品が保持される物品保持具。
【請求項２】
前記枠体に第２折曲部を介して連設された巻込板を更に備え、
前記巻込板は、前記底板を巻き込むように前記第２折曲部で折り畳み可能とされている請求項１に記載の物品保持具。
【請求項３】
前記第２の折曲部は、前記底板の縁部に形成された差込片が挿入される差込部が折り畳み時に形成される請求項２に記載の物品保持具。
【請求項４】
互いに対向する一対の起立板を備える係合部材を更に備え、
前記各起立板は、先端に係合片が設けられており、
前記底板は、前記各係合片が挿入される複数の挿入部が形成されている請求項１から３のいずれかに記載の物品保持具。
【請求項５】
容器内で物品を保持する方法であって、
底板および枠体が第１折曲部において折り畳み可能に連設された支持部材を、可撓性の袋体内に物品と共に収納するステップと、
前記支持部材を前記袋体と共に前記第１折曲部で折り畳むことにより、前記枠体内に物品を保持するステップと、
内部に物品が保持された前記袋体を容器内に収納するステップとを備える物品の保持方法。
【発明の詳細な説明】
【技術分野】
【０００１】
本発明は、物品保持具に関し、より詳しくは、容器内で物品を保持する物品保持具に関する。
【背景技術】
【０００２】
物品を段ボール箱等の包装箱や、封筒、袋などの容器内に梱包する場合、物品が運搬中に衝撃を受けて損傷しないように、物品と容器との間に緩衝材を介在させて包装箱内の隙間を埋めることが従来から行われている（例えば、特許文献１）。
【０００３】
ところが、従来の緩衝材は、物品の形状や大きさに合わせて設計を行う必要があり、大量の梱包を必要とする企業以外には、金型等のコストをかけて専用の緩衝材を製作するのは現実的ではなかった。そのため、発泡材や紙等の小緩衝物を詰め込むという方法が一般的となっている。この梱包方法は、手軽に作業ができる反面、大量のゴミを発生させることと、商品の見栄えの悪さが問題となっている。また、梱包した物品が液状物を含む場合には、物品が損傷する等して液漏れが生じると、他の荷物を汚したり、廃棄処理が面倒になるという問題があった。
【０００４】
一方、最近では、インターネット通販や個人間の物品売買により、多品種の物品を梱包する機会が増えており、商品の形状に柔軟に対応し、手軽かつ安全に梱包することへのニーズが高まっている。
【先行技術文献】
【特許文献】
【０００５】
【特許文献１】特開２０００−２５８３９号公報
【発明の概要】
【発明が解決しようとする課題】
【０００６】
そこで、本発明は、簡易な構成により物品を容易且つ確実に梱包することができる物品保持具の提供を目的とする。
【課題を解決するための手段】
【０００７】
本発明の前記目的は、容器内で物品を保持する物品保持具であって、可撓性の袋体と、底板および枠体が第１折曲部において折り畳み可能に連設された支持部材とを備え、物品を前記支持部材と共に前記袋体の内部に収納した後、前記支持部材を前記袋体と共に前記第１折曲部で折り畳むことにより、前記袋体の内部で物品が保持される物品保持具により達成される。
【０００８】
この物品保持具は、前記枠体に第２折曲部を介して連設された巻込板を更に備えることが好ましく、前記巻込板は、前記底板を巻き込むように前記第２折曲部で折り畳み可能とされていることが好ましい。前記第２の折曲部は、前記底板の縁部に形成された差込片が挿入される差込部が折り畳み時に形成されることが好ましい。
【０００９】
また、互いに対向する一対の起立板を備える係合部材を更に備え、前記各起立板は、先端に係合片が設けられていることが好ましく、前記底板は、前記各係合片が挿入される複数の挿入部が形成されていることが好ましい。
【発明の効果】
【００１０】
本発明によれば、物品の形状に拘らず、簡易な構成により物品を容易且つ確実に梱包することができ、高い緩衝性を有する物品保持具を提供することができる。また、これによって、緩衝材の専用設計を不要にしつつ梱包物の見栄えを良好に保つことができ、ゴミの発生も防止できて、更には梱包物からの液漏れを防止することが可能になる。
【図面の簡単な説明】
【００１１】
【図１】本発明の一実施形態に係る物品保持具の支持部材をブランクの状態で示す図である。
【図２】図１に示す支持部材の折り畳み状態を示す側面図である。
【図３】図１に示す支持部材を備える物品保持具を用いた梱包方法の一例を示す平面図である。
【図４】本発明の一実施形態に係る物品保持具の係合部材の平面図である。
【図５】図４に示す係合部材を用いた梱包方法の一例を示す平面図である。
【図６】本発明の他の実施形態に係る物品保持具の支持部材をブランクの状態で示す図である。
【図７】図６に示す支持部材の折り畳み状態を示す平面図である。
【発明を実施するための形態】
【００１２】
以下、本発明の実施の形態について、添付図面を参照して説明する。図１は、本発明の一実施形態に係る物品保持具の支持部材をブランクの状態で示す図である。図１に示すように、支持部材１０は、それぞれ略同じ大きさの矩形状に形成された底板２０、枠体３０および巻込板４０が順次連設されて構成されており、例えば、段ボール等の厚紙からなる。底板２０と枠体３０との間には第１折曲部２６が形成され、枠体３０と巻込板４０との間には第２折曲部３２が形成されている。
【００１３】
底板２０は、第１折曲部２６と反対側の長辺側縁部に、差込片２１，２１が形成されている。また、底板２０の各短辺側縁部に沿って挿入部２２ａ，２２ｂが形成され、各長辺側縁部に沿って挿入部２２ｃ，２２ｄが形成されている。挿入部２２ａ，２２ｂ，２２ｃ，２２ｄは、スリット状または切欠状に形成することができる。底板２０の中央にはロック孔２３が形成されており、ロック孔２３を取り囲むように、複数の物品保持孔２４が形成されている。
【００１４】
第１折曲部２６は、Ｈ字状の切込線２６ａからなり、支持部材１０を切込線２６ａの両側に形成される２つ折曲線２６ｂ，２６ｂで折り畳むことにより、枠体３０の表面を底板２０の表面に当接させることができる。第１折曲部２６は、ハーフカット等により形成することもできる。枠体３０の開口３１は、底板２０および枠体３０の表面同士を当接させたときに、挿入部２２ａ，２２ｂ，２２ｃ，２２ｄが露出するように形成されている。
【００１５】
第２折曲部３２は、Ｈ字状の切込線３２ａからなり、切込線３２ａ両側の２つ折曲線３２ｂ，３２ｂの間隔が、第１折曲部２６の２つ折曲線２６ｂ，２６ｂの間隔よりも大きくなるように形成されている。これにより、支持部材１０を第２折曲部３２で折り畳んだときに切込線３２ａが大きく開口し、差込片２１，２１を挿入可能な差込部が形成される。
【００１６】
巻込板４０は、各短辺側縁部に沿って挿入部４１ａ，４１ｂが形成され、各長辺側縁部に沿って挿入部４１ｃ，４１ｄが形成されている。挿入部４１ａ，４１ｂ，４１ｃ，４１ｄは、スリット状または切欠状に形成することができる。巻込板４０の中央には、切り込みにより形成されて起立可能なロック片４２を備えている。
【００１７】
上記の構成を備える支持部材１０は、第１折曲部２６で折り畳んで底板２０および枠体３０の表面同士を当接させた後、第２折曲部３２において巻込板４０が底板２０を巻き込むように折り畳むことで、図２に示すように、巻込板４０の表面が底板２０の裏面に当接する。第２折曲部３２には、上述したように、折り畳み時に切込線が大きく開いて差込部２１ｃが形成されるため、この差込部２１ｃに底板２０の差込片２１を挿入することにより、支持部材１０の折り畳み状態が維持される。差込片２１は、本実施形態では複数形成しているが、単一であってもよい。
【００１８】
図３に示すように、上記の支持部材１０は、透明なビニール袋等からなる可撓性の袋体５０と共に、物品保持具１を構成する。物品保持具１の使用時には、図３（ａ）に示すように、支持部材１０よりも若干大きい袋体５０を用意し、袋体５０の上部に形成された開口部５０ａから、支持部材１０を物品Ｇと共に収納する。支持部材１０は、底板２０が袋体５０の底部側となるように配置されることが好ましく、物品２０は、底板２０上に配置されることが好ましい。本実施形態においては、底板２０に複数の物品保持孔２４が形成されており、この物品保持孔２４を利用して、底板２０上での物品Ｇの保持を促すことができる。
【００１９】
ついで、支持部材１０を袋体５０と共に上記の手順で折り畳むことにより、図３（ｂ）に示す折り畳み状態になり、袋体５０に作用する張力によって底板２０と袋体５０との間に物品Ｇが固定される。こうして、物品Ｇを底板２０上に迅速容易に保持することができる。本実施形態においては、差込部２１ｃへの差込片２１の挿入（図２参照）を、袋体５０を介して行うだけでなく、巻込板４０のロック片４２を起立させて、袋体５０を介して底板２０のロック孔２３に係合させることによっても、支持部材１０の折り畳み状態を維持することができる。支持部材１０の折り畳み状態においては、底板２０の挿入部２２ａ，２２ｂ，２２ｃ，２２ｄと、巻込板４０の挿入部４１ａ，４１ｂ，４１ｃ，４１ｄとが、一致する。
【００２０】
この後、内部に物品Ｇが保持された袋体５０を、封筒、袋、段ボール箱などの容器に収納することで、物品Ｇを容器内に確実に保持することができる。容器が封筒や袋などの場合には、物品Ｇが保持された袋体５０のみを容器に収納してもよいが、容器が段ボール箱などの包装箱である場合には、後述する係合部材６０を用いることで、物品Ｇが保持された袋体５０を、容器内により確実に保持することができる。
【００２１】
図４は、係合部材の一例を示す平面図である。図４に示す係合部材６０は、一対の起立板６１，６１および一対の連結板６４，６４を備えている。起立板６１および連結板６４には、それぞれ複数のスリット６２，６５が形成されており、一対の起立板６１，６１および一対の連結板６２，６２をそれぞれ対向するように配置して、スリット６２，６５同士を係合させることにより、係合部材６０を矩形枠状に構成することができる。起立板６１の先端には係合片６３が設けられており、連結板６４の先端には補助係合片６６が設けられている。本実施形態においては、短板を起立板６１とし、長板を連結板６２としているが、短板を連結板とし、長板を起立板としてもよい。
【００２２】
この係合部材６０を使用する場合、まず、図５（ａ）に示すように、物品Ｇが保持された袋体５０を、包装箱７０に収容する。包装箱７０は、上部開口の周縁に内フラップ７１，７１および外フラップ７２，７２を備えており、内フラップ７１，７１および外フラップ７２，７２を外方に開いて、物品Ｇが保持された袋体５０を収容することができる。
【００２３】
ついで、図５（ｂ）に示すように、矩形枠状に構成した係合部材６０を包装箱７０内に収容し、各係合片６３および補助係合片６６を、袋体５０を介して挿入部２２ａ，２２ｂ，２２ｃ，２２ｄに係合させる。こうして、物品Ｇが保持された袋体５０が、包装箱７０内に保持される。起立板６１の高さは、包装箱７０の高さより低くてもよく、あるいは、包装箱７０の高さと同程度であってもよい。最後に、内フラップ７１，７１および外フラップ７２，７２を閉じて、外フラップ７２，７２の合わせ部を粘着テープ等で閉じることにより、梱包作業が完了する。
【００２４】
係合部材６０の構成は、本実施形態に限定されるものではなく、例えば、一対の起立板６１，６１および一対の連結板６２，６２が、折り線を介して連設された構成であってもよい。あるいは、一対の起立板６１，６１同士が、物品Ｇの上方を覆う被覆板により結合された構成にすることもできる。
【００２５】
以上、本発明の一実施形態について詳述したが、本発明の具体的な態様は上記実施形態に限定されない。例えば、本実施形態の支持部材１０は、底板２０および枠体３０の他に巻込板４０を備える構成としているが、巻込板４０を備えない構成であってもよい。
【００２６】
図７は、本発明の他の実施形態に係る物品保持具の支持部材をブランクの状態で示す図である。図７に示す支持部材１０’は、図１に示す支持部材１０の枠体３０に対して、巻込板４０の代わりに、補助枠体９０を連設したものである。図７において、図１と同様の構成部分には、同一の符号を付している。
【００２７】
図７に示す支持部材１０’は、枠体３０と補助枠体９０との間に介在される第２折曲部３２が、ハーフカットにより形成されており、枠体３０に対する補助枠体９０の折り畳み方向（Ａ方向）が、枠体３０に対する底板２０の折り畳み方向（Ｂ方向）と逆方向とされている。この構成によれば、枠体３０の表面に補助枠体９０の表面が当接し、枠体３０の裏面に底板２０の裏面が当接して、図８に示す折り畳み状態になる。
【００２８】
この支持部材１０’は、折り畳み状態において、枠体３０および補助枠体９０が重なった状態で底板２０に当接するため、物品Ｇの収容高さを容易に確保することができる。したがって、嵩高の物品Ｇにも対応し易く、あるいは、底板２０に緩衝マット等を敷いて物品Ｇを保持することもできる。補助枠体９０は、複数を屏風状に折り畳み可能に連設することも可能である。支持部材１０’の折り畳み状態の維持は、上記の係合部材６０を用いて行うことが可能であり、あるいは、クリップやバンド等の固定手段を用いてもよい。
【符号の説明】
【００２９】
１  物品保持具
１０  支持部材
２０  底板
２１  差込片
２２ａ，２２ｂ，２２ｃ，２２ｄ  挿入部
２６  第１折曲部
３０  枠体
３２  第２折曲部
３２ｃ  差込部
４０  巻込板
５０  袋体
６０  係合部材
６１  起立板
６３  係合片
Ｇ  物品
【図１】
2019094068.tif 000003
【図２】
2019094068.tif 000004
【図３】
2019094068.tif 000005
【図４】
2019094068.tif 000006
【図５】
2019094068.tif 000007
【図６】
2019094068.tif 000008
【図７】
2019094068.tif 000009